(57)【要約】【課題】デジタル放送受信装置でありながら、相対的に番組内容通知が早期に実現可能なマルチ画面表示機能を実現する。【解決手段】デジタルテレビ放送の場合には映像信号のデコードに時間がかかっていたため、それを基にしてマルチ画面を構成するまでに必要な時間も相対的に長くなっていた。それに対して本案では、マルチ画面を表示させる場合、電子番組表（ＥＰＧ）情報に基づき、マルチ画面中の少なくとも一つの画面に、その画面に対応する映像ではなくチャンネル番号及び対応する番組名を表示させる。番組名が表示されれば、映像がなくてもある程度の番組内容をユーザは理解できる。この番組名については、ＴＳデータ中の映像データを取り出さなくても、ＥＰＧデータ中のＥＩＴに基づけば得ることができる。データ量の違いから、映像データをデコードするのに比べてＥＰＧデータは早くデコードできる。【選択図】  図１
2007036726.tif 000002
【特許請求の範囲】
【請求項１】
デジタルテレビ放送を受信し、複数のチャンネルに対応する放送内容をそれぞれ子画面にて表示するマルチ画面表示機能を有するデジタル放送受信装置であって、
マルチ画面を表示可能な表示手段と、
前記表示手段にマルチ画面を表示させる場合、デジタルテレビ放送に含まれている電子番組表情報に基づき、マルチ画面中の少なくとも一つの画面に、その画面に対応する映像ではなくチャンネル番号及び対応する番組名を表示させる表示制御手段を備えること
を特徴とするデジタル放送受信装置。
【請求項２】
請求項１に記載のデジタル放送受信装置において、
前記表示制御手段は、
マルチ画面を表示させる直前に前記表示手段に一つのチャンネルに対応する映像を表示させていた場合、その表示させていた映像についてはそのままマルチ画面中の一つの画面においても映像として表示させ、それ以外の画面においては映像ではなく対応するチャンネル番号及び対応する番組名を表示させ、
マルチ画面を表示させる直前に前記表示手段に映像表示をさせていなかった場合、マルチ画面の全ての画面において映像ではなく対応するチャンネル番号及び対応する番組名を表示させること
を特徴とするデジタル放送受信装置。
【請求項３】
請求項１に記載のデジタル放送受信装置において、
前記表示制御手段は、
前記表示手段のマルチ画面に映像ではなく対応するチャンネル番号及び対応する番組名を表示させた後、デジタルテレビ放送に含まれている映像信号に基づき映像を表示させること
を特徴とするデジタル放送受信装置。
【請求項４】
請求項１〜３の何れかに記載のデジタル放送受信装置において、
前記表示制御手段は、
前記表示手段に前記対応するチャンネル番号及び対応する番組名を表示させる場合、チャンネル番号を表示させた後、デジタルテレビ放送に含まれている電子番組表情報に基づき番組名を表示させること
を特徴とするデジタル放送受信装置。
【請求項５】
請求項１〜４の何れかに記載のデジタル放送受信装置において、
送信所から送信される地上波デジタルテレビ放送波による固定向けデジタル放送及び移動体向けデジタル放送を受信可能に構成されており、
前記固定向けデジタル放送及び前記移動体向けデジタル放送それぞれのデータ放送中には、固定向けデジタル放送用及び移動体向けデジタル放送用の両方の電子番組表情報が含まれており、
前記表示制御手段は、
前記マルチ画面への番組名表示を行う場合、固定向けデジタル放送及び移動体向けデジタル放送の両方の番組名表示を行うこと
を特徴とするデジタル放送受信装置。
【請求項６】
請求項１〜５の何れかに記載のデジタル放送受信装置において、
前記表示制御手段は、
前記電子番組表情報の一部であって、番組名、放送開始日時、内容の説明など、番組に関する情報を示すＥＩＴ（Event Information Table）に基づいて、前記マルチ画面への番組名表示を行うこと
を特徴とするデジタル放送受信装置。
【請求項７】
請求項６に記載のデジタル放送受信装置において、
送信所から送信される地上波デジタルテレビ放送波による固定向けデジタル放送及び移動体向けデジタル放送を受信可能に構成されており、
前記固定向けデジタル放送及び前記移動体向けデジタル放送それぞれのデータ放送中には、固定向けデジタル放送用及び移動体向けデジタル放送用の両方の電子番組表情報が含まれており、
前記表示制御手段は、
前記移動体向けデジタル放送用の前記ＥＩＴに基づいて前記番組名表示を行うこと
を特徴とするデジタル放送受信装置。
【請求項８】
請求項１〜７の何れかに記載のデジタル放送受信装置において、
さらに、ユーザからの指示を受け付けるための指示受付手段を備え、
前記表示制御手段は、
前記表示手段にマルチ画面を表示させる場合、複数のチャンネルに対応する放送内容を所定の順番で取得して表示させるが、前記指示受付手段を介して所定の指示を受け付けた場合、その指示されたチャンネルに対応する番組名または映像を優先して取得して表示させること
を特徴とするデジタル放送受信装置。
【請求項９】
コンピュータを、請求項１〜８の何れかに記載のデジタル放送受信装置における表示制御手段として機能させるためのプログラム。
【発明の詳細な説明】
【技術分野】
【０００１】
デジタル放送受信装置に関し、特にいわゆるマルチ画面表示機能を有するデジタル放送受信装置に関する。
【背景技術】
【０００２】
テレビ放送受信装置において、画面を複数のブロックに分割して複数の映像信号を表示するいわゆるマルチ画面表示機能が知られている。例えば特許文献１では、チューナとデコーダを２セット設ける構成により、親画面の映像を動画表示したまま、子画面に他のチャンネルの内容を表示するマルチ画面表示機能付きのテレビ受信装置が開示されている。特許文献１に開示されているものは、入力ソースがアナログ放送であるため、複数の映像信号を切り替え表示する処理は次のように行われる。各チャンネルが順次選局されるように受信周波数が一定周期で切り替えられる。受信信号は、チューナ部でベースバンド信号に変換された後、ＮＴＳＣ復号器等で色信号、水平同期信号、垂直同期信号及びクロックに復号される。そして、得られた画像データはＡ／Ｄ変換されてメモリの異なる領域にそれぞれ蓄積される。
【特許文献１】特開平６−１７８２２７号公報
【発明の開示】
【発明が解決しようとする課題】
【０００３】
しかしながら、このようにして複数の映像を同時に表示し、それを順繰りに更新する機能をデジタルテレビ放送の受信装置で実現しようとした場合には、アナログテレビ放送の受信装置よりも映像表示が遅れるという問題がある。その点を説明する。
【０００４】
入力ソースがデジタル放送である場合には、複数の映像信号を切り替え表示する処理は次のように行われる。各チャンネル（サービスＩＤ）が順次選局されるように、受信周波数、トランスポートストリーム識別（ＴＳＩＤ）が一定周期で切り替えられる。受信信号は、チューナ部でトランスポートストリーム（ＴＳ）信号に変換され、映像、音声、その他のデータに復号（デコード））される。得られたチャンネル毎の映像信号はメモリの異なる領域にそれぞれ蓄積される。そして、マルチ画面表示の際は、蓄積された各チャンネル対応の映像信号を並べて１画面を構成し、Ｄ／Ａ変換して出力する。このような一連の処理を実行する必要があり、特に映像信号のデコードに時間がかかるため、デジタルテレビ放送の受信装置においては、映像として表示するまでに必要な時間が、アナログテレビ放送の受信装置と比較して一般的に長くなる。そのため、全てのチャンネルで放送されている番組をユーザに通知しようとした場合、どうしてもアナログテレビジョン放送の場合のように早期に通知することができないのである。
【０００５】
そこで、このような問題を解決し、デジタル放送受信装置でありながら、相対的に番組内容通知が早期に実現可能なマルチ画面表示機能を実現することを目的とする。
【課題を解決するための手段】
【０００６】
上記目的を達成するための発明である請求項１記載のデジタル放送受信装置（１：なお、この欄においては、発明に対する理解を容易にするため、必要に応じて「発明を実施するための最良の形態」欄において説明した構成要素を括弧内に示すが、この記載によって特許請求の範囲を限定することを意味するものではない。）は、デジタルテレビ放送を受信し、複数のチャンネルに対応する放送内容をそれぞれ子画面にて表示するマルチ画面表示機能を有する。そして、本発明のデジタル放送受信装置（１）は、マルチ画面を表示可能な表示手段（１１２）と、表示手段（１１２）にマルチ画面を表示させる場合、デジタルテレビ放送に含まれている電子番組表情報に基づき、マルチ画面中の少なくとも一つの画面に、その画面に対応する映像ではなくチャンネル番号及び対応する番組名を表示させる表示制御手段（１０８，１０９）を備える。
【０００７】
上述したように、デジタルテレビ放送の場合には映像信号のデコードに時間がかかっていたため、それを基にしてマルチ画面を構成するまでに必要な時間も相対的に長くなっていた。それに対して本発明のデジタル放送受信装置の場合には、マルチ画面中の少なくとも一つの画面に、その画面に対応する映像ではなくチャンネル番号及び対応する番組名を表示させるようにしている。番組名が表示されれば、映像がなくてもある程度の番組内容をユーザは理解できる。
【０００８】
この番組名については、デジタルテレビ放送の映像信号を取り出さなくても、電子番組表情報に基づけば得ることができる。デジタル放送の受信信号は、上述したようにチューナ部でトランスポートストリーム（ＴＳ）信号に変換され、映像、音声、その他のデータに復号（デコード））されるが、電子番組表情報は、この「その他のデータ」中に含まれるものであり、そのデータ量の違いから、映像信号をデコードするのに比べて早くデコードできる。そのため、このような工夫を施すことによって、デジタル放送受信装置でありながら、相対的に番組内容通知が早期に実現可能なマルチ画面表示機能を実現することができるのである。ユーザにとっては、マルチ画面の全てに映像を表示されるよりも、一部の画面については番組名程度であっても全体として早期に番組内容が把握できた方が好ましいと考えられる。したがって、このような工夫は、ユーザにとって非常に歓迎すべきものとなる。
【０００９】
請求項２に係るデジタル放送受信装置によれば、表示制御手段（１０８，１０９）が、次のような表示制御を行う。つまり、マルチ画面を表示させる直前に表示手段（１１２）に一つのチャンネルに対応する映像を表示させていた場合、その表示させていた映像についてはそのままマルチ画面中の一つの画面においても映像として表示させ、それ以外の画面においては映像ではなく対応するチャンネル番号及び対応する番組名を表示させる。一方、マルチ画面を表示させる直前に表示手段（１１２）に映像表示をさせていなかった場合、マルチ画面の全ての画面において映像ではなく対応するチャンネル番号及び対応する番組名を表示させるのである。
【００１０】
既に映像を表示させている場合には、あらためて映像信号をデコードする時間を考慮しなくてもよいため、そのままマルチ画面の一つに表示させればよい。そして、それ以外の画面については映像ではなく、対応するチャンネル番号及び対応する番組名を表示させるので、マルチ画面全体に、番組内容をより早期に表示させることができる。
【００１１】
一方、請求項３に係るデジタル放送受信装置によれば、表示制御手段（１０８，１０９）が、次のような表示制御を行う。つまり、表示手段（１１２）のマルチ画面に映像ではなく対応するチャンネル番号及び対応する番組名を表示させた後、デジタルテレビ放送に含まれている映像信号に基づき映像を表示させるのである。
【００１２】
上述したように、電子番組表情報に基づき番組名を得て表示させているが、これは、「映像信号をデコードするのに比べて電子番組表情報は早期にデコードすることができる」からである。しかし、番組名を表示させれば、とりあえず番組内容をユーザ（視聴者）に提示することができる。そのため、その後は、相対的に時間がかかっても映像信号をデコードしてマルチ画面に表示させ、映像を用いてより視覚的に訴える番組内容の提示を行うようにすることも好ましい対応である。
【００１３】
なお、表示制御手段（１０８，１０９）が表示手段（１１２）に対応するチャンネル番号及び対応する番組名を表示させる場合には、請求項４に示すような表示制御を行ってもよい。つまり、表示手段（１１２）にチャンネル番号を表示させた後、デジタルテレビ放送に含まれている電子番組表情報に基づき番組名を表示させるのである。このようにすれば、どのチャンネルがマルチ画面表示されるかをユーザはより早期に理解できる。
【００１４】
請求項５に係るデジタル放送受信装置は、送信所から送信される地上波デジタルテレビ放送波による固定向けデジタル放送及び移動体向けデジタル放送を受信可能に構成されており、固定向けデジタル放送及び移動体向けデジタル放送それぞれのデータ放送中には、固定向けデジタル放送用及び移動体向けデジタル放送用の両方の電子番組表情報が含まれていることを前提とし、表示制御手段（１０８，１０９）が次のような表示制御を行う。つまり、マルチ画面への番組名表示を行う場合、固定向けデジタル放送及び移動体向けデジタル放送の両方の番組名表示を行うのである（図５（ｂ）参照）。
【００１５】
このようにすれば、同じチャンネルでありながら、固定向けデジタル放送及び移動体向けデジタル放送の両方の番組内容をユーザは知ることができる。例えば同一番組を放送しているいわゆるサイマル放送であるか否かも判断できる。また、別の番組を放送しているのであれば、それも知ることができる。
【００１６】
ところで、表示制御手段がマルチ画面に番組名を表示するために必要な情報は電子番組表情報から取得するのであるが、具体的には、請求項６に示すように、番組名、放送開始日時、内容の説明など、番組に関する情報を示すＥＩＴ（Event Information Table）に基づくことが考えられる。このＥＩＴに関しては、社団法人電波産業会（通称ＡＲＩＢ）が策定した各種規格においては、「ＴＲ−Ｂ１４  第四編  地上デジタルテレビジョン放送  ＰＳＩ／ＳＩ運用規定」に記載されている。
【００１７】
このＥＩＴを用いる場合、次のような工夫をするとよい。つまり、送信所から送信される地上波デジタルテレビ放送波による固定向けデジタル放送及び移動体向けデジタル放送を受信可能に構成されており、固定向けデジタル放送及び移動体向けデジタル放送それぞれのデータ放送中には、固定向けデジタル放送用及び移動体向けデジタル放送用の両方の電子番組表情報が含まれていることを前提とした場合には、請求項７に示すように、移動体向けデジタル放送用のＥＩＴに基づいて番組名表示を行うのである。これは、移動体向けデジタル放送用のＥＩＴの方が固定向けデジタル放送用のＥＩＴに比べてデータ量が少なく、その結果、配送周期も短いからである。固定向けデジタル放送用のＥＩＴは、出演者や番組の簡単な紹介などの情報も含まれているが、移動体向けデジタル放送用のＥＩＴにはこれらの情報は含まれていないからである。
【００１８】
したがって、このように移動体向けデジタル放送用のＥＩＴに基づいて番組名表示を行えば、より早期にマルチ画面への番組内容表示が実現できる。
ところで、表示制御手段（１０８，１０９）については、表示手段（１１２）にマルチ画面を表示させる場合、複数のチャンネルに対応する放送内容を所定の順番で取得して表示させるよう構成することが考えられる。例えばチャンネル番号が若い順に表示させるといったことである。しかし、その順番に従うのではなく優先してユーザが放送内容を見たいと考えるチャンネルもあり得る。
【００１９】
そこで、請求項８に示すように構成することが考えられる。つまり、さらに、ユーザからの指示を受け付けるための指示受付手段（１１４）を備え、表示制御手段（１０８，１０９）が、表示手段（１１２）にマルチ画面を表示させる場合、複数のチャンネルに対応する放送内容を所定の順番で取得して表示させるが、指示受付手段（１１４）を介して所定の指示を受け付けた場合、その指示されたチャンネルに対応する番組名または映像を優先して取得して表示させるのである。
【００２０】
請求項９に係る発明は、コンピュータを、請求項１〜８の何れかに記載のデジタル放送受信装置における表示制御手段として機能させるためのプログラムである。このプログラムは、例えば、ＦＤ，ＭＯ，ＤＶＤ，ＣＤ−ＲＯＭ，ハードディスク，メモリカード等のコンピュータ読み取り可能な記録媒体に記憶し、その記憶したプログラムを必要に応じてコンピュータシステムにロードして起動することにより用いることができる。この他、ＲＯＭやバックアップＲＡＭをコンピュータ読み取り可能な記録媒体としてプログラムを記録しておき、このＲＯＭ或いはバックアップＲＡＭをコンピュータシステムに組み込んで用いてもよい。また、プログラムは、記録媒体に記憶されたものに限らず、ネットワークを介してロードして起動することにより用いてもよい。
【発明を実施するための最良の形態】
【００２１】
以下、本発明が適用された実施形態について図面を用いて説明する。なお、本発明の実施の形態は、下記の実施形態に何ら限定されることなく、本発明の技術的範囲に属する限り種々の形態を採りうる。
【００２２】
［デジタル放送受信装置１の概略構成］
図１は本実施形態のデジタル放送受信装置１の構成を示したブロック図である。
本実施形態のデジタル放送受信装置１は、図１に示すように、チューナ部１０１、デスクランブラ１０２、デマルチプレクサ１０３、ビデオデコーダ１０４、オーディオデコーダ１０５、ＥＰＧデコーダ１０６、メモリ１０７、マルチ画面構成部１０８、表示制御部１０９、デジタル／アナログ変換器（ＤＡＣ）１１０、画像表示部１１２、音声出力部１１３、操作部１１４、ＩＣカード制御部１１５、システム制御部１１６を備えている。そして、チューナ部１０１、デスクランブラ１０２、デマルチプレクサ１０３、ＥＰＧデコーダ１０６、メモリ１０７、マルチ画面構成部１０８、操作部１１４、ＩＣカード制御部１１５、システム制御部１１６は、システムバス１２０を介して相互に接続されている。
【００２３】
また、本実施形態のデジタル放送受信装置１は、その全体動作が、システム制御部１１６によって制御される。例えば、システム制御部１１６は、図示しないＲＯＭに予め格納された処理プログラムを読み出して実行することで、後述する受信・表示制御等の制御を行う。
【００２４】
［各部の構成及び概略作動］
図示しないアンテナから供給されたデジタルテレビ放送信号はチューナ部１０１に入力される。チューナ部１０１は、受信した各信号に対して復調、誤り訂正等の処理を施し、トランスポートストリーム（ＴＳ）と呼ばれる形式のデジタルデータを生成する。
【００２５】
デスクランブラ１０２は、視聴制限の為のスクランブルがかけられているＴＳデータがチューナ部１０１より入力された場合、ＩＣカード制御部１１５からの情報及び当該ＴＳに含まれる情報に基づき、当該ＴＳのスクランブルを解除してデマルチプレクサ１０３へ出力する。ここで、ＩＣカード制御部１１５には、ユーザの契約情報及びＴＳデータに含まれるデスクランブルのための鍵情報を解くための鍵情報が格納されているＩＣカードが装着され、デスクランブラ１０２より入力されたデスクランブルのための鍵情報を解く為の鍵情報があった場合、その鍵情報をデスクランブラ１０２へ出力する。
【００２６】
また、デスクランブラ１０２は、チューナ部１０１よりスクランブルがかけられていないＴＳデータを入力した場合には、ＴＳデータをそのままデマルチプレクサ１０３へ出力する。
【００２７】
デマルチプレクサ１０３は、デスクランブラ１０２より入力された複数チャンネル分の映像、音声データ、及びＥＰＧデータ等が時分割多重化されているＴＳデータの中から、操作部１１４の操作により選択されたチャンネルにおいて現在放送中の番組に係る映像データＤ１及び音声データＤ２を取り出し、それぞれをビデオデコーダ１０４、オーディオデコーダ１０５へ出力する。また、デマルチプレクサ１０３は、前述のＴＳデータよりＥＰＧデータＤ３を取り出し、メモリ１０７へ出力する。
【００２８】
メモリ１０７は、デマルチプレクサ１０３より出力されたＥＰＧデータＤ３を一旦記憶する。ここで、メモリ１０７に記憶されるＥＰＧデータＤ３は、定期的に受信され、常に最新のデータに更新される。あるいは、操作部１１４の操作によりＥＰＧデータの取得動作を行い、最新のデータに更新される。
【００２９】
ところで、ＴＳデータはパケット単位で伝送され、パケットの先頭部分には、ＰＩＤ（Packet Identification）が付加されている。デマルチプレクサ１０３は、このＴＳデータ中のＰＡＴ（Program Association Ta 10ble），ＰＭＴ（Program MapTable）等のＰＳＩ（Program Specific Information）データに基づいて各データのＰＩＤを検出し、このＰＩＤを読み取ることで、映像データＤ１、音声データＤ２、ＥＰＧデータＤ３の識別を行う。
【００３０】
これら各データの流れについて、順番に説明する。
まず、映像データについて説明する。ビデオデコーダ１０４は、デマルチプレクサ１０３より入力された映像データＤ１（ＭＰＥＧ２等により符号化されたデータ）に対して符号化された規格に応じたデコード処理を施し、復号した映像データを表示制御部１０９へ出力する。表示制御部１０９は、ビデオデコーダ１０４より入力された映像データや、
ＥＰＧデータに応じてマルチ画面構成部１０８により構成される画像データなどを受け取り、操作部１１４の操作に応じて画面を切り替えたり、多重したりして画像表示部１１２に表示させる。なお、画像表示部１１２は、図示しないモニタや映像信号入力端子等を有している。
【００３１】
次に、音声データについて説明する。オーディオデコーダ１０５は、デマルチプレクサ１０３より入力された音声データＤ２（ＭＰＥＧ２等により符号化されたデータ）に対して符号化された規格に応じたデコード処理を施し、復号した音声データをＤＡＣ１１０へ出力する。ＤＡＣ１１０は、オーディオデコーダ１０５より入力された音声データに対してＤ／Ａ変換処理を施し、音声出力部１１３へ出力する。なお、音声出力部１１３は、図示しないスピーカや音声信号入力端子等を有している。
【００３２】
そして、ＥＰＧデータについて説明する。ＥＰＧを構成するのに必要なデータは、社団法人電波産業会（通称ＡＲＩＢ）における標準規格「デジタル放送に使用する番組陳列情報」等で規定されるデータ構造で伝送される。主要な構成データとして、編成チャンネルの名称、放送事業者の名称など、編成チャンネルに関する情報を伝送するＳＤＴ（Service Description Table）、ブーケ（編成チャンネルの集合）の名称、含まれる編成チャンネルなど、ブーケに関する情報を伝送するＢＡＴ（Bouquet Association Table）、番組の名称、放送開始日時、内容の説明など、番組に関する情報を伝送するＥＩＴ（Event Information Table）、現在の日付、時刻の情報を伝送するＴＤＴ（Time Date Table）等が挙げられる。なお、ＥＩＴに関しては、「ＡＲＩＢ  ＴＲ−Ｂ１４  第四編  地上デジタルテレビジョン放送  ＰＳＩ／ＳＩ運用規定」に記載されている。
【００３３】
ＥＰＧデコーダ１０６は、デマルチプレクサ１０３により取り出されたＥＰＧデータＤ３に対してデコード処理を行う。そして、復号されたＥＰＧデータＤ４をメモリ１０７へ格納したり、マルチ画面構成部１０８へ送信する。
【００３４】
メモリ１０７へ格納されたＥＰＧデータＤ４は、ユーザからＥＰＧ画面の表示指示がなされた場合、システム制御部１１６からの制御によってマルチ画面構成部１０８へ送信される。
【００３５】
マルチ画面構成部１０８は、ＥＰＧデコーダ１０６から入力されたＥＰＧデータＤ４に基づいて、あるいはシステム制御部１１６によってメモリ１０７から読み出されて転送されたＥＰＧデータＤ４に基づいて、マルチ画面を構成する信号を表示制御部１０９へ出力する。なお、マルチ画面の表示処理は、操作部１１４においてマルチ画面のアプリケーションを起動するための操作がなされると、マルチ画面の起動指示がシステム制御部１１６に入力され、開始されることとなる。
【００３６】
システム制御部１１６は、操作部１１４からのマルチ画面起動指示が入力された場合、マルチ画面構成部１０８へマルチ画面の生成指示を行うとともに、必要に応じてメモリ１０７に格納されているＥＰＧデータＤ４を読み出し、マルチ画面構成部１０８へ送信する。このシステム制御部１１６からのマルチ画面の生成指示を受け取ったマルチ画面構成部１０８は、マルチ画面を構成する要素を表示制御部１０９に送信する。それとともに、マルチ画面構成部１０８は、ＥＰＧデコーダ１０６から、あるいはシステム制御部１１６から送信されるＥＰＧデータＤ４を受け取る。
【００３７】
ここで読み出される情報は、マルチ画面を構成するために必要な、番組の名称や放送日時、番組内容の説明など、番組に関する情報を示すＥＩＴである。マルチ画面構成部１０８はこれらのデータを受けとると、その情報を生成しているマルチ画面に随時反映させていく。
【００３８】
［マルチ画面の表示処理］
図２、図３のフローチャート及び図４、図５の画面例を参照しながら、マルチ画面の表示処理に関して説明する。
【００３９】
図２及び図３のフローチャートは、主にシステム制御部１１６にて実行される表示制御の内容を示しているが、それに限らず、デジタル放送受信装置１における他の構成要素にて実行される処理に関しても示している。
【００４０】
操作部１１４を介してユーザからのマルチ画面への切り替え操作を受け付けると、システム制御部１１６の制御に基づいて本マルチ画面表示処理が開始される。マルチ画面表示処理が開始されると、表示制御部１０９は、画像表示部１１２へ表示させる画像をマルチ画面に切り替える（Ｓ１０）。
【００４１】
次に、システム制御部１１６は、現在の受信エリアに関してチャンネルプリセット済みか否か判断し（Ｓ２０）、チャンネルプリセット済みでなければ（Ｓ２０：ＮＯ）、チューナ部１０１、デスクランブラ１０２及びデマルチプレクサ１０３を制御しチャンネルをプリセットする（Ｓ３０）。そして、マルチ画面構成部１０８は、リモコンキーＩＤが若い順に放送局名をマルチ画面の内の複数のウィンドウへそれぞれ表示する（Ｓ４０）。図４（ｂ）に示す画面中のマルチ画面Ｇ１の表示領域においては、８つのウィンドウが表示されている。この図４（ｂ）におけるマルチ画面Ｇ１においては放送局名（Ａ放送局〜Ｉ放送局）だけでなく、番組名「○○○○」及び次の番組名「△△△△」が表示された状態を示しているが、この内の番組名「○○○○」及び次の番組名「△△△△」が表示されず放送局名（Ａ放送局〜Ｉ放送局）のみが表示されている状態が、Ｓ４０での表示状態である。Ｓ４０の処理後は、Ｓ８０へ移行する。
【００４２】
一方、チャンネルプリセット済みの場合は（Ｓ２０：ＹＥＳ）、マルチ画面構成部１０８は、リモコンキーＩＤが若い順に放送局名をマルチ画面の内の複数のウィンドウへそれぞれ表示する（Ｓ５０）。このＳ５０でのマルチ画面の表示状態は、Ｓ４０での表示状態と同じである。
【００４３】
そして、システム制御部１１６は、マルチ画面への切り替え操作直前までデジタルテレビ放送の映像が画像表示部１１２に表示されていたか否かを判断する（Ｓ６０）。デジタルテレビ放送の映像が画像表示部１１２に表示されていた場合には（Ｓ６０：ＹＥＳ）、表示制御部１０９は、その切り替え操作直前までに表示していたＴＳの映像をマルチ画面Ｇ１内の対応するウィンドウに表示し、映像をフリーズする（Ｓ７０）。図４（ａ）に示す画面中のマルチ画面Ｇ１の表示領域においては、８つのウィンドウが表示されており、その内の一つに映像が表示されている。これは、図４（ｂ）と対比するとＧ放送局に対応するものであることが分かる。この図４（ａ）におけるマルチ画面Ｇ１においては、Ｇ放送局に対応するウィンドウ以外には放送局名だけでなく、番組名「○○○○」及び次の番組名「△△△△」が表示された状態を示しているが、この内の番組名「○○○○」及び次の番組名「△△△△」が表示されず放送局名のみが表示されている状態が、Ｓ７０での表示状態である。Ｓ７０の処理後は、Ｓ８０へ移行する。
【００４４】
なお、Ｓ６０にて否定判断、すなわちマルチ画面への切り替え操作直前までデジタルテレビ放送の映像が画像表示部１１２に表示されていなかった場合には、Ｓ７０の処理を実行することなくＳ８０へ移行する。
【００４５】
Ｓ８０では、電子番組表（ＥＰＧ）情報を取得しておらず、且つその中でリモコンキーIDが最も若いチャンネルをターゲットに設定する。
そして、ターゲットウィンドウの番組名が既にＥＰＧとして取得されているか否か判断し（Ｓ９０）、まだ取得されていない場合には（Ｓ９０：ＮＯ）、チューナ部１０１、デスクランブラ１０２及びデマルチプレクサ１０３に対して受信チャンネル切り替えを指示する（Ｓ１００）。そのチャンネル切り替え指示に応じてチューナ部１０１が受信チャンネルを変更する（Ｓ１１０）。
【００４６】
そして、チューナ部１０１及びデスクランブラ１０２により生成されたＴＳデータは、デマルチプレクサ１０３を介してビデオデコーダ１０４、オーディオデコーダ１０５、ＥＰＧデコーダ１０６へ送信される（Ｓ１２０）。具体的には、デマルチプレクサ１０３は、ＴＳデータ中から映像データＤ１、音声データＤ２を取り出し、それぞれをビデオデコーダ１０４、オーディオデコーダ１０５へ出力する。また、デマルチプレクサ１０３は、ＴＳデータ中からＥＰＧデータＤ３を取り出し、ＥＰＧデコーダ１０６へ出力する。
【００４７】
ＥＰＧデコーダ１０６は、デマルチプレクサ１０３により取り出されたＥＰＧデータＤ３に対してデコード処理を行う。システム制御部１１６からの指示により、ＥＰＧデコーダ１０６は、ＴＳデータ中のＥＰＧデータＤ４からＥＩＴ［ｐ／ｆ］に格納されている番組名情報を取得し、マルチ画面構成部１０８へ送信する（Ｓ１３０）。Ｓ１３０で取得された番組名情報は、システム制御部１１６の指示によりメモリ１０７内のＥＰＧ情報記憶領域へ書き込まれる（Ｓ１４０）。なお、ＥＩＴ［ｐ／ｆ］とは、現在放送されている番組と、次の放送される番組に関する情報を伝送するテーブルである。
【００４８】
また、Ｓ１３０の処理による番組名情報の送信を受けたマルチ画面構成部１０８は、マルチ画面を構成する要素を表示制御部１０９に送信し、さらに、番組名情報の送信を受けるたびに、その情報を生成しているマルチ画面に随時反映させていく。つまり、画面の更新を行う（Ｓ１６０）。
【００４９】
Ｓ１００〜Ｓ１４０の処理は、Ｓ９０にて否定判断、すなわちターゲットウィンドウの番組名がまだＥＰＧとして取得されていない場合の処理であったが、既にＥＰＧとして取得されている場合には（Ｓ９０：ＹＥＳ）、メモリ１０７内のＥＰＧ情報記憶領域から番組名情報を読み込み、マルチ画面構成部１０８へ送信する（Ｓ１５０）。続くＳ１６０では上述した画面更新を行う。
【００５０】
Ｓ１６０の処理後はＳ１７０へ移行し、全てのチャンネルについて番組名情報を取得したか否か判断する。そして、まだ全てのチャンネルについての番組名情報を取得しているのでなければ（Ｓ１７０：ＮＯ）、Ｓ８０へ戻る。
【００５１】
一方、全てのチャンネルについての番組名情報を取得した場合には（Ｓ１７０：ＹＥＳ）、図３のフローチャートに示す映像取得・表示に係る処理へ移行する。
Ｓ１６０にて画面が更新されていくことで、図４（ａ）または図４（ｂ）に示す画面中のマルチ画面Ｇ１の表示領域において、８つのウィンドウへの番組名表示が順次なされていく。つまり、Ｓ４０またはＳ５０での表示においては番組名は表示されていなかったが、このＳ１６０での画面更新がなされることで、サービスＩＤの若いチャンネルの順に、番組名「○○○○」及び次の番組名「△△△△」が表示されていく。そして、全てのチャンネルについての番組名情報が取得されて画面が更新されると、図４（ａ）または図４（ｂ）に示す画面中のマルチ画面Ｇ１の表示状態となる。つまり、Ｓ７０にて直前まで表示していた映像をフリーズして表示させた場合には、図４（ａ）に示すマルチ画面表示状態となり、そうでなない場合には、図４（ｂ）に示すマルチ画面表示状態となる。
【００５２】
なお、図４（ａ）または図４（ｂ）に示すマルチ画面表示状態においては、詳細情報Ｇ２の表示領域において、詳細情報は表示されない。
次に、図３のフローチャートに示す映像取得・表示に係る処理について説明する。
【００５３】
図２のフローチャートに示す処理が終了すると、マルチ画面は、図４（ａ）または図４（ｂ）に示す画面構成となる。そこでまず、映像を取得しておらず、且つその中でサービスＩＤが最も若いチャンネルをターゲットに設定する（Ｓ１８０）。そして、チューナ部１０１に対して受信チャンネル切り替えを指示する（Ｓ１９０）。そのチャンネル切り替え指示に応じてチューナ部１０１が受信チャンネルを変更する（Ｓ２００）。そして、チューナ部１０１にて受信されたＴＳデータは、デスクランブラ１０２及びデマルチプレクサ１０３を介してビデオデコーダ１０４、オーディオデコーダ１０５、ＥＰＧデコーダ１０６へ送信される（Ｓ２１０）。
【００５４】
ビデオデコーダ１０４は、最初の映像が取得できるまでデコード処理を実行する（Ｓ２２０）。そして、最初の映像が取得できたら、その取得した映像を表示制御部１０９へ送信する（Ｓ２３０）。
【００５５】
Ｓ２３０の処理後はＳ２４０へ移行し、映像を取得していないウィンドウがあるか否か判断する。そして、映像を取得していないウィンドウがあれば（Ｓ２４０：ＹＥＳ）、取得した映像をウィンドウへ表示し映像をフリーズした上で（Ｓ２５０）、Ｓ１８０へ戻る。
【００５６】
Ｓ２５０にて映像を表示することで、図５（ａ）に示す画面中のマルチ画面Ｇ１の表示領域において、８つのウィンドウへの映像表示が順次なされていく。つまり、図４に示す表示例においては映像ではなく番組名が表示されていた画面についても、サービスＩＤの若いチャンネルの順に、映像が取得されて表示されていく。なお、この場合の映像は静止画である。
【００５７】
全てのチャンネルについての映像が取得されて画面が更新されると、図５（ａ）に示すような画面表示となる。なお、図４（ａ）に示す画面中のマルチ画面Ｇ１の表示状態であった場合には、マルチ画面中の一つの画面（ここではＧ放送局）においては、動画映像が表示されている。
【００５８】
全てのチャンネルについての映像の取得が終わり、動画映像を表示するウィンドウが固定された段階で、マルチ画面構成部１０８は、表示を行っている動画の詳細情報がメモリ１０７に存在するかを確認する（Ｓ２６０）。表示を行っている動画の詳細情報が存在するならば（Ｓ２６０：ＹＥＳ）、詳細情報表示領域Ｇ２に表示する（Ｓ２７０）。一方、表示している動画の詳細情報がメモリ１０７に記憶されていない場合には（Ｓ２６０：ＮＯ）、マルチ画面構成部１０８は、ＥＰＧデコーダ１０６によりデコードされるＥＰＧデータＤ４の取得を行い、取得が完了した時点で、詳細情報表示領域Ｇ２に表示する（Ｓ２８０）。
【００５９】
［効果説明］
（１）以上説明したように、本実施形態のデジタル放送受信装置１によれば、画像表示部１１２へマルチ画面を表示させる場合、電子番組表（ＥＰＧ）情報に基づき、マルチ画面中の少なくとも一つの画面に、その画面に対応する映像ではなくチャンネル番号及び対応する番組名を表示させている。デジタルテレビ放送の場合には映像信号のデコードに時間がかかっていたため、それを基にしてマルチ画面を構成するまでに必要な時間も相対的に長くなっていた。それに対して本デジタル放送受信装置１の場合には、マルチ画面中の少なくとも一つの画面に、その画面に対応する映像ではなくチャンネル番号及び対応する番組名を表示させるようにしている（図４参照）。番組名が表示されれば、映像がなくてもある程度の番組内容をユーザは理解できる。
【００６０】
この番組名については、ＴＳデータ中の映像データＤ１を取り出さなくても、ＥＰＧデータＤ３に基づけば得ることができる。データ量の違いから、映像データＤ１をデコードするのに比べてＥＰＧデータは早くデコードできる。そのため、このような工夫を施すことによって、デジタル放送受信装置１でありながら、相対的に番組内容通知が早期に実現可能なマルチ画面表示機能を実現することができる。
【００６１】
ユーザにとっては、マルチ画面の全てに映像を表示されるよりも、一部の画面については番組名程度であっても全体として早期に番組内容が把握できた方が好ましいと考えられる。したがって、このような工夫は、ユーザにとって非常に歓迎すべきものとなる。
【００６２】
（２）マルチ画面を表示させる直前に画像表示部１１２に一つのチャンネルに対応する映像を表示させていた場合、図４（ａ）に示すように、その表示させていた映像についてはそのままマルチ画面中の一つの画面においても映像として表示させ、それ以外の画面においては映像ではなく対応するチャンネル番号及び対応する番組名を表示させる。一方、マルチ画面を表示させる直前に画像表示部１１２に映像表示をさせていなかった場合、図４（ｂ）に示すように、マルチ画面の全ての画面において映像ではなく対応するチャンネル番号及び対応する番組名を表示させる。
【００６３】
既に映像を表示させている場合には、あらためて映像信号をデコードする時間を考慮しなくてもよいため、そのままマルチ画面の一つに表示させればよい。そして、それ以外の画面については映像ではなく、対応するチャンネル番号及び対応する番組名を表示させるので、マルチ画面全体に、番組内容をより早期に表示させることができる。
【００６４】
（３）図４に示すように、画像表示部１１２のマルチ画面に映像ではなく対応するチャンネル番号及び対応する番組名を表示させた後、図５（ａ）に示すように、デジタルテレビ放送に含まれている映像信号に基づき映像を表示させている。図４に示すように、マルチ画面に番組名を表示させているが、これは、「映像信号をデコードするのに比べて電子番組表情報は早期にデコードすることができる」からである。しかし、番組名を表示させれば、とりあえず番組内容をユーザ（視聴者）に提示することができる。そのため、その後は、相対的に時間がかかっても映像信号をデコードしてマルチ画面に表示させ、映像を用いてより視覚的に訴える番組内容の提示を行うようにすることも好ましい。
【００６５】
（４）図２のＳ４０またはＳ５０にて説明したように、マルチ画面の表示に際しては、まず画像表示部１１２にチャンネル番号を表示させる。その後、各チャンネルの番組名を順次取得して図４に示すようなマルチ画面を表示させるようにしている。このようにすれば、どのチャンネルがマルチ画面表示されるかをユーザはより早期に理解できる。もちろん、チャンネルスキャンと同時に番組名を取得し、チャンネル番号と番組名とを同時に表示してもよい。
【００６６】
［別実施形態等］
（Ａ）上記実施形態では、デジタルテレビ放送信号を受信し、それに基づいてマルチ画面を表示するデジタル放送受信装置１というだけで、そのデジタルテレビ放送の種類等に関しては特に言及しなかった。しかし、例えば、送信所から送信される地上波デジタルテレビ放送波による固定向けデジタル放送及び移動体向けデジタル放送を共に受信可能に構成し、それらを切り替えて表示可能なデジタル放送受信装置として実現した場合には、マルチ画面の表示に関しても次のような工夫をすることが考えられる。
【００６７】
（Ａ−１）両方の番組名を表示する
固定向けデジタル放送及び移動体向けデジタル放送それぞれのデータ放送中には、固定向けデジタル放送用及び移動体向けデジタル放送用の両方の電子番組表情報が含まれている。そのため、図５（ｂ）に示すように、マルチ画面への番組名表示を行う場合、固定向けデジタル放送及び移動体向けデジタル放送の両方の番組名表示を行ってもよい。この場合、「移動体向け放送」と表示してもユーザにとっては技術的な違いが分かりにくいので、図５（ｂ）に示す例では、「簡易放送」と表示している。
【００６８】
このようにすれば、同じチャンネルでありながら、固定向けデジタル放送及び移動体向けデジタル放送の両方の番組内容をユーザは知ることができる。例えば同一番組を放送しているいわゆるサイマル放送であるか否かも判断できる。また、別の番組を放送しているのであれば、それも知ることができる。
【００６９】
なお、図５（ｂ）に示すように同時に両方の番組名を表示するのではなく、ユーザにより操作部１１４が操作された場合に、図５（ｂ）の上部の「固定向け放送」の表示内容と下部の「簡易放送」の表示内容とを切り替えて表示するようにしてもよい。
【００７０】
（Ａ−２）移動体向けデジタル放送用のＥＩＴを用いる
上記実施形態においても、マルチ画面に番組名を表示するために必要な情報を、ＥＰＧデータＤ４中のＥＩＴ［ｐ／ｆ］から取得したが、このＥＩＴを用いる場合、移動体向けデジタル放送用のＥＩＴを用いる。つまり、送信所から送信される地上波デジタルテレビ放送波による固定向けデジタル放送及び移動体向けデジタル放送を受信可能に構成されており、固定向けデジタル放送及び移動体向けデジタル放送それぞれのデータ放送中には、固定向けデジタル放送用及び移動体向けデジタル放送用の両方のＥＰＧデータが含まれているが、移動体向けデジタル放送用のＥＩＴを用いるようにするのである。
【００７１】
これは、移動体向けデジタル放送用のＥＩＴの方が固定向けデジタル放送用のＥＩＴに比べてデータ量が少なく、その結果、配送周期も短いからである。固定向けデジタル放送用のＥＩＴは、出演者や番組の簡単な紹介などの情報も含まれているが、移動体向けデジタル放送用のＥＩＴにはこれらの情報は含まれていないからである。したがって、このように移動体向けデジタル放送用のＥＩＴに基づいて番組名表示を行えば、より早期にマルチ画面への番組内容表示が実現できる。
【００７２】
（Ｂ）マルチ画面への表示順番に関する工夫
上記実施形態では、マルチ画面を表示させる場合、複数のチャンネルに対応する放送内容を所定の順番で取得して表示させるよう構成した。具体的には、サービスＩＤ（チャンネル番号）が若い順に表示させるといったことである。しかし、その順番に従うのではなく優先してユーザが放送内容を見たいと考えるチャンネルもあり得る。
【００７３】
そこで、操作部１１４を介してユーザからの指示を受け付けた場合、上記サービスＩＤ（チャンネル番号）が若い順に番組名あるいは映像を表示させている途中であっても、そのユーザから指示されたチャンネルに対応する番組名または映像を優先して取得して表示させるようにしてもよい。この場合、例えば操作部１１４としてタッチパネルを採用し、画像表示部１１２のモニタの画面上をユーザがタッチすることで「優先表示指示」を受け付けるように構成することが考えられる。具体的には、番組名あるいは映像を取得して順次表示していく最中に、ユーザがマルチ画面中の所望のウィンドウを押下するとそのチャンネルの番組名あるいは映像を取得して表示する処理を行う。なお、さらにもう一度そのウィンドウを押下すると、マルチ画面から全画面での表示に切り替え、そのチャンネルの映像を全画面表示するようにしてもよい。
【図面の簡単な説明】
【００７４】
【図１】実施形態のデジタル放送受信装置１の概略構成図である。
【図２】実施形態のデジタル放送受信装置の実行するマルチ画面表示処理の流れの前半を示すフローチャートである。
【図３】実施形態のデジタル放送受信装置の実行するマルチ画面表示処理の流れの後半を示すフローチャートである。
【図４】マルチ画面の表示例を示す説明図である。
【図５】マルチ画面の表示例を示す説明図である。
【符号の説明】
【００７５】
１…デジタル放送受信装置、１０１…チューナ部、１０２…デスクランブラ、１０３…デマルチプレクサ、１０４…ビデオデコーダ、１０５…オーディオデコーダ、１０６…ＥＰＧデコーダ、１０７…メモリ、１０８…マルチ画面構成部、１０９…表示制御部、１１２…画像表示部、１１３…音声出力部、１１４…操作部、１１５…ＩＣカード制御部、１１６…システム制御部、１２０…システムバス。
【図１】
2007036726.tif 000003
【図２】
2007036726.tif 000004
【図３】
2007036726.tif 000005
【図４】
2007036726.tif 000006
【図５】
2007036726.tif 000007